(57)【要約】【課題】小型化しても推進効率の低下しない生体内泳動装置用ヒレを提供する。【解決手段】ヒレ１３は、ヒレ部１５と、ヒレ部１５を本体部１２に可動に接続する関節部１４とを備え、関節部１４が振動することによって生じるヒレ部１５の振動で、カプセル型内視鏡４を泳動させるヒレであって、ヒレ部１５は、関節部１４よりもヤング率の大きい、または、曲げ剛性の高い物質から成る。これにより、カプセル型内視鏡４の推進効率を向上させるとともに、ヒレ１３の小型化が実現される。【選択図】図１
2008279019.tif 000002
【特許請求の範囲】
【請求項１】
ヒレ部と、
生体内を泳動する生体内泳動装置における本体部に、前記ヒレ部を可動に接続する関節部とを備え、
前記関節部が振動することによって生じる前記ヒレ部の振動で、前記生体内泳動装置を泳動させる生体内泳動装置用ヒレであって、
前記ヒレ部は、前記関節部よりもヤング率の大きい、または、曲げ剛性の高い物質から成ることを特徴とする生体内泳動装置用ヒレ。
【請求項２】
前記関節部の曲げを最も許容する曲げ方向としての第１の方向における、前記ヒレ部の厚みが、前記関節部と接続する側に向かうにつれて大きくなることを特徴とする請求項１に記載の生体内泳動装置用ヒレ。
【請求項３】
前記ヒレ部における前記関節部と接続する側とは反対側の端部であるヒレ先端部の形状が、丸みを帯びていることを特徴とする請求項１または２に記載の生体内泳動装置用ヒレ。
【請求項４】
前記ヒレ部が、磁石を有することを特徴とする請求項１〜３のいずれか１項に記載の生体内泳動装置用ヒレ。
【請求項５】
生体内泳動装置の本体部に、請求項１〜４のいずれか１項に記載の生体内泳動装置用ヒレを備え、該生体内泳動装置用ヒレによって推進する生体内泳動装置。
【請求項６】
前記生体内泳動装置用ヒレは、
前記本体部の重心を通り、かつ、前記生体内泳動装置の推進方向に延びる中心軸に対して、
前記ヒレ部の前記第１の方向に沿って切断した断面において、前記第１の方向と直交する方向としての第２の方向にずれていることを特徴とする請求項５に記載の生体内泳動装置。
【請求項７】
プラスチックよりもヤング率の小さい天然ゴムまたは合成ゴムで構成され、かつ、凹部を有するサックをさらに備え、
前記生体内泳動装置用ヒレにおける、前記ヒレ部が接続されていない側の前記関節部を、前記サックの凹部の裏側に連結し、該サックの凹部に前記本体部の一部の領域を含むように、前記サックと前記本体部とを接合することを特徴とする請求項５または６に記載の生体内泳動装置。
【請求項８】
体液よりも密度の小さい浮きをさらに備えることを特徴とする請求項５〜７のいずれか１項に記載の生体内泳動装置。
【請求項９】
熱によって口径が収縮する熱収縮チューブをさらに備え、
前記浮きを、前記熱収縮チューブの内壁と、前記本体部との間に備えることを特徴とする請求項８に記載の生体内泳動装置。
【請求項１０】
少なくとも前記ヒレ部の一部の領域を覆うカバー部をさらに備えることを特徴とする請求項５〜９のいずれか１項に記載の生体内泳動装置。
【請求項１１】
前記カバー部は、少なくとも１つの開口部を有し、
該開口部が、前記生体内泳動装置全体を覆う前記カバー部における、前記関節部と前記本体部とが接合する部分と対向する領域、若しくは、該対向する領域よりも生体内泳動装置の進行方向側の領域に設けられることを特徴とする請求項１０に記載の生体内泳動装置。
【請求項１２】
前記カバー部は、体液で溶解する薄膜であることを特徴とする請求項１０に記載の生体内泳動装置。
【請求項１３】
コイルが巻かれた芯状部と、該芯状部の両端から互いに平行となるように立ち上がる２つの側面部とから構成される鉄心の前記芯状部および前記側面部が、隣り合う鉄心の前記芯状部および前記側面部とそれぞれ接するように、前記鉄心が複数束ねられてなる電磁石を備え、
前記コイルに交流電流を流すことにより、前記２つの側面部の端部にそれぞれ磁極が形成され、該磁極間に交流磁場が発生し、請求項５〜１２のいずれか１項に記載の生体内泳動装置に該発生した磁場を与える交流磁場発生装置であって、
前記鉄心を束ねる方向に前記電磁石が移動可能であるとともに、
前記側面部が立ち上がる方向に前記電磁石が移動可能であることを特徴とする交流磁場発生装置。
【請求項１４】
請求項６〜１２に記載の生体内泳動装置と、請求項１３に記載の交流磁場発生装置と、該生体内泳動装置および該交流磁場発生装置を制御する制御装置とからなる医療システム。
【請求項１５】
請求項４に記載の生体内泳動装置用ヒレが本体部に連結された生体内泳動装置と、請求項１３に記載の交流磁場発生装置と、該生体内泳動装置および該交流磁場発生装置を制御する制御装置とからなる医療システムであって、
前記交流磁場発生装置のコイルに交流電流を発生させ、前記生体内泳動装置の前進、停滞、後進運動を切換える電圧の周波数が、
前記ヒレ部の形状および材質と、前記関節部の形状および材質と、前記本体部の形状および材質との組み合わせによって定められることを特徴とする医療システム。
【発明の詳細な説明】
【技術分野】
【０００１】
本発明は、生体内を泳動する生体内泳動装置のヒレに関するものであり、特に魚の動きをシミュレートした小型の魚型ロボットのヒレに関するものである。
【背景技術】
【０００２】
近年、大きさが数μｍから数ｃｍ程度の機械であり、アクチュエータと呼ばれる機械を動かす駆動系と、エネルギーを供給する部分と、実際に仕事をする機能部分とを備えるマイクロマシンの活躍が期待されている。
【０００３】
特に、医療分野においては、例えば、カプセル型の内視鏡としてのマイクロマシンが海外では既に実用化されている。具体的に、カプセル内視鏡は、医療業界で汎用されている管を挿入するタイプの内視鏡とは異なり、患者にとって飲みやすい錠剤タイプの内視鏡である。錠剤タイプの内視鏡は、該錠剤タイプの内視鏡を飲み込むだけで、体内の検査や治療等を行うことができるため、患者への負担は少ない。
【０００４】
非特許文献１および非特許文献２には、このようなカプセル型内視鏡の一例が記載されている。非特許文献１および非特許文献２に記載のカプセル型内視鏡は、直径１１ｍｍ、長さ約２６ｍｍのカプセルに超小型撮像素子（ＣＭＯＳ：相補型金属酸化膜半導体）とバッテリが内蔵され、内服するだけで、胃や腸の蠕動運動により体内を進行する。そして、該カプセル型内視鏡は、その間に、毎秒２枚、計５万枚の内視写真を撮影する。一方、医師は、患者がベルトに着けた８ギガバイトのハードディスクに保存された撮影された画像を、専用ソフトが搭載されたコンピューターに該ハードディスクを接続することにより、約１時間の動画に編集し、該動画を用いて診断する。
【０００５】
特許文献１には、体外に設けられた磁気誘導装置で発生した磁場によって、マイクロカプセルを回転させ、マイクロカプセルの外に取り付けた螺旋状のガイドによって、被検体内を進行、後退の運動を制御するカプセル型医療装置が記載されている。具体的には、カプセル型医療装置は、患者の体腔管路内を通過中に制御装置と電波を送受信して、この制御装置の制御により検査、治療又は処置が可能な医療システムを構成し、磁気誘導装置で形成される回転磁界に磁気的に作用される磁石と、この磁石による回転運動を推進力に変換するための推力発生部としての螺旋部とを具備している。
【０００６】
しかしながら、上記例で挙げた胃や腸の蠕動運動によって体内で進行させるカプセル内視鏡では、検査したい部位の見落としや、精密に観察できない等の問題が生じる。
【０００７】
また、特許文献１に記載の、回転運動によって体内を進行するマイクロカプセルでは、運動中に、常に、マイクロカプセルが回転するので写真撮影した画像のほとんどが水平から傾いた状態になるので診断が困難となるという問題がある。また、特許文献１に記載のマイクロカプセルは、回転しながら体内を進行するため、該装置と被試験者の体内における壁面とが摩擦することによって、該壁面を損傷させるおそれもある。
【０００８】
そこで、ヒレを備え、該ヒレによる推進力で推進するヒレ型のマイクロマシンを用いることが好ましい。
【０００９】
このような、ヒレ型のマイクロマシンは、マイクロマシンの内部に備えた磁石が、体外の交流磁場発生装置から発生する交流磁場を受けて振動し、その振動がヒレに伝わることによって推進する。
【００１０】
特許文献２には、体内を移動するマイクロマシンに、体外から磁場を与える交流磁場発生装置の一例が開示されている。
【００１１】
図１６は、従来の交流磁場発生装置の概略構成を示す斜視図である。
【００１２】
特許文献２に記載の交流磁場発生装置１００は、図１６に示すように、導線からなるコイルが巻きつけられた鉄心を複数束ねてなり、当該コイルへ制御装置から交流電流が流されると、当該コイルが電磁石として動作する。そして、交流磁場発生装置１００は、交流電流に応じた交流磁場を発生する。上記鉄心は、図１６に示すように、略コの字型（より詳細には、磁極間に空間を備えた矩形枠状）に形成されており、該磁極間に配される被試験者の体内のマイクロマシンへ、交流磁場を与えることができる。
【特許文献１】特開２００３−２７５１７０号公報（平成１５年９月３０日公開）
【特許文献２】特開２００６−６２０７１号公報（平成１８年３月９日公開）
【非特許文献１】Given Imaging社  PillCamTMSB Capsule Endoscopy  〔平成１９年４月２６日検索〕、インターネット  ＜ＵＲＬ： HYPERLINK "http://www.givenimaging.com/Cultures/en-US/Given/English/Products/CapsuleEndoscopy/" http://www.givenimaging.com/Cultures/en-US/Given/English/Products/CapsuleEndoscopy/＞
【非特許文献２】日経ＢＰnet、Tech-on  〔平成１９年５月２日検索〕、インターネット  ＜ＵＲＬ： HYPERLINK "http://techon.nikkeibp.co.jp/article/NEWS/20060808/120062/" http://techon.nikkeibp.co.jp/article/NEWS/20060808/120062/＞
【発明の開示】
【発明が解決しようとする課題】
【００１３】
しかしながら、ヒレ型のマイクロマシンは、カメラ等を内蔵するカプセルに、さらにヒレを備える構成であるため、ヒレを備えないカプセルのみからなるマイクロマシンと比べてサイズが大きくなってしまう。このように、マイクロマシンのサイズが大きくなると、被試験者がマイクロマシンを溜飲する際に、苦痛を伴うという問題が生じる。また、この問題を解決するために、ヒレを小型化すると、１振り当たりの、ヒレが水を押し出す量が減るため、推進効率が低下するという問題が生じる。
【００１４】
また、特許文献２に記載の交流磁場発生装置１００は、固定式の磁場発生装置であるため、例えば、非常に体格の大きい被試験者に対しても検査可能となるようにすると、磁極間を大きくするとともに、鉄心の数を増やして、鉄心を束ねる方向の長さを長くする必要がある。すなわち、交流磁場発生装置１００の大型化は避けられず、交流磁場発生装置１００を設置するスペースを確保することが困難となり、かつ重量が増すことにより交流磁場発生装置を移動できないという問題が生じる。
【００１５】
本発明は、上記従来の問題に鑑みてなされたものであって、その目的は、小型化しても推進効率の低下しない生体内泳動装置用ヒレを提供するとともに、交流磁場発生装置の小型化を実現することにある。
【課題を解決するための手段】
【００１６】
本発明の生体内泳動装置用ヒレは、上記課題を解決するために、ヒレ部と、生体内を泳動する生体内泳動装置における本体部に、前記ヒレ部を可動に接続する関節部とを備え、前記関節部が振動することによって生じる前記ヒレ部の振動で、前記生体内泳動装置を泳動させる生体内泳動装置用ヒレであって、前記ヒレ部は、前記関節部よりもヤング率の大きい、または、曲げ剛性の高い物質から成ることを特徴としている。
【００１７】
上記構成によれば、ヒレ部が関節部よりもヤング率の大きいまたは曲げ剛性の高い物質からなっているため、ヒレ部が関節部のヤング率よりも小さいまたは曲げ剛性が低い物質からなる場合に比べて、ヒレ部の水圧によるたわみが小さく、振動時に、効率よく液体を押しだすことができる。また、ヒレ部の振動時における、生体内泳動装置用ヒレが振り切れたときの変位（最大変位）が大きくなるため、ヒレ部が１振動当たりに押し出す液体の量が増大する。
【００１８】
これらのことより、推進効率を向上させるとともに、生体内泳動装置用ヒレの小型化を実現することができる。
【００１９】
また、本発明の生体内泳動装置用ヒレは、前記関節部の曲げを最も許容する曲げ方向としての第１の方向における、前記ヒレ部の厚みが、前記関節部と接続する側に向かうにつれて大きくなることが好ましい。
【００２０】
上記構成によれば、関節部との接続部分であり振動時に大きな負荷がかかるヒレ部の付け根部の厚みが大きいため、接続部分の強度を良好に保つことができる。
【００２１】
また、ヒレ部の先端部の厚みを小さくすることにより、生体内泳動装置用ヒレの振動時における、ヒレ部の変位が大きくなり推進効率が向上する。
【００２２】
また、本発明の生体内泳動装置用ヒレは、前記ヒレ部における前記関節部と接続する側とは反対側の端部であるヒレ先端部の形状が、丸みを帯びていることが好ましい。
【００２３】
上記構成によれば、ヒレ先端部が丸みを帯びた形状をしており、角が尖っていないため、ヒレ部が生体内において振動する場合に体内壁を傷つけるおそれが低減される。
【００２４】
また、本発明の生体内泳動装置用ヒレは、前記ヒレ部が、磁石を有することがより好ましい。
【００２５】
上記構成によれば、ヒレ部が磁石を備えているため、外部から与える交流磁場を制御することで容易にヒレ部の振動を制御することができ、その結果、生体内泳動装置全体の推進運動を容易に制御することができる。例えば、ヒレ部が備える磁石に交流磁場を与える交流磁場発生装置の交流の切換タイミングを制御することによって、ヒレ部の単位秒当たりの振動回数を制御することができ、その結果、生体内泳動装置の推進速度を制御することができる。
【００２６】
また、上記構成によれば、主に生体内泳動装置用ヒレの振動を制御することができるため、生体内泳動装置用ヒレを高速振動となるように制御しても、本体部の振動はゆるやかとなる。これにより、本体部に撮像装置を内蔵する場合に、該撮像装置によって撮像された画像がぶれるおそれを低減することができる。
【００２７】
また、本発明の生体内泳動装置は、生体内泳動装置の本体部に、上記生体内泳動装置用ヒレを備え、該生体内泳動装置用ヒレによって推進することが好ましい。
【００２８】
上記構成によれば、推進効率を向上させるとともに、生体内泳動装置用ヒレの小型化を実現することができる。その結果、生体内泳動装置全体を小型化することも可能となる。
【００２９】
また、本発明の生体内泳動装置は、前記生体内泳動装置用ヒレが、前記本体部の重心を通り、かつ、前記生体内泳動装置の推進方向に延びる中心軸に対して、前記ヒレ部の前記第１の方向に沿って切断した断面において、前記第１の方向と直交する方向としての第２の方向にずれていることが好ましい。
【００３０】
上記構成によれば、生体内泳動装置を液面に浮かせて移動させる場合に、生体内泳動装置用ヒレを液面から液中方向に少しずらして備えることができるため、常に、生体内泳動装置用ヒレを水中で振動させるようにすることができる。その結果、生体内泳動装置用ヒレの推進効率が向上する。
【００３１】
また、本発明の生体内泳動装置は、プラスチックよりもヤング率の小さい天然ゴムまたは合成ゴムで構成され、かつ、凹部を有するサックをさらに備え、前記生体内泳動装置用ヒレにおける、前記ヒレ部が接続されていない側の前記関節部を、前記サックの凹部の裏側に連結し、該サックの凹部に前記本体部の一部の領域を含むように、前記サックと前記本体部とを接合することが好ましい。
【００３２】
上記構成によれば、本体部と、生体内泳動装置用ヒレを備えるサックとを接合するだけで、本体部に生体内泳動装置用ヒレを接合することができる。
【００３３】
例えば、特殊なケースに本体部が収納され、該ケースから本体部を取り出したときに自動的に電源がＯＮになるようなカプセル型内視鏡等では、電源がＯＮになった直後に内視鏡検査を始めることが好ましいため、迅速に生体内泳動装置用ヒレを備え付ける必要がある。
【００３４】
このように、本体部に直ぐに生体内泳動装置用ヒレを備え付ける必要がある場合には、生体内泳動装置用ヒレと本体部とを接着剤などで接着する方法では、時間がかかってしまう。
【００３５】
しかしながら、上記構成によれば、生体内泳動装置用ヒレと予め接続されているプラスチックよりもヤング率の小さい天然ゴムまたは合成ゴムからなるサックによって、本体部を締め付けるだけで、生体内泳動装置用ヒレと本体部とを接合することができるため、本体部への生体内泳動装置用ヒレの着脱が容易となる。
【００３６】
また、本発明の生体内泳動装置は、水よりも密度の小さい浮きをさらに備えることが好ましい。
【００３７】
上記構成によれば、浮きによって生体内泳動装置の比重を調整することができるため、液面、または液中等の生体内の液体におけるどの位置を泳ぐかを制御することが容易になる。また、生体内泳動装置を水平状態に保つことも可能となる。
【００３８】
また、本発明の生体内泳動装置は、熱によって口径が収縮する熱収縮チューブをさらに備え、前記浮きを、前記熱収縮チューブの内壁と、前記本体部との間に備えることが好ましい。
【００３９】
上記構成によれば、浮きを備えた本体部を、前記チューブで覆い、該チューブに熱を加えるだけで、前記浮きと前記本体部とが締め付け接合することができる。したがって、生体内泳動装置の本体部への浮きの装着を容易に行うことが可能となる。
【００４０】
また、本発明の生体内泳動装置は、少なくとも前記ヒレ部の一部の領域を覆うカバー部をさらに備えることが好ましい。
【００４１】
上記構成によれば、カバー部を備えることにより、生体内泳動装置を溜飲する際に、ヒレ部と体内壁とが接触するのを防ぐことができるため、生体内泳動装置の溜飲を容易にすることが可能となる。また、ヒレ部と体内壁とが接触することによって、ヒレ部が体内壁を傷つけてしまうおそれを低減することができる。
【００４２】
また、本発明の生体内泳動装置における前記カバー部は、少なくとも１つの開口部を有し、該開口部が、前記生体内泳動装置全体を覆う前記カバー部における、前記関節部と前記本体部とが接合する部分と対向する領域、若しくは、該対向する領域よりも生体内泳動装置の進行方向側の領域に設けられることが好ましい。
【００４３】
上記構成によれば、前記カバー部で覆われたヒレ部付近に、開口部を介してカバー部外からの液体が流れ込むため、該ヒレ部付近に、液流を生ぜしめることができる。よって、ヒレ部が体内壁を傷つけてしまうおそれを低減するだけでなく、ヒレ部の推進力を向上することも可能となる。
【００４４】
また、本発明の生体内泳動装置における前記カバー部は、体液で溶解する薄膜であることが好ましい。
【００４５】
上記構成によれば、ヒレ部をオブラート等の体液で溶解する薄膜で包みこむため、溜飲する際に、生体内泳動装置のヒレ部が、直接体内壁に接触するおそれはなく、生体内泳動装置の溜飲を容易にする。また、体内では、オブラート等の薄膜が体液によって溶け、ヒレ部が露出するため、生体内泳動装置は該ヒレ部による体液中の泳動が可能となる。
【００４６】
また、本発明の交流磁場発生装置は、コイルが巻かれた芯状部と、該芯状部の両端から互いに平行となるように立ち上がる２つの側面部とから構成される鉄心の前記芯状部および前記側面部が、隣り合う鉄心の前記芯状部および前記側面部とそれぞれ接するように、前記鉄心が複数束ねられてなる電磁石を備え、前記コイルに交流電流を流すことにより、前記２つの側面部の端部にそれぞれ磁極が形成され、該磁極間に交流磁場が発生し、上記生体内泳動装置に該発生した磁場を与える交流磁場発生装置であって、前記鉄心を束ねる方向に前記電磁石が移動可能であるとともに、前記側面部が立ち上がる方向に前記電磁石が移動可能であることが好ましい。
【００４７】
例えば、形成された磁極間に設置した被試験体に交流磁場を与える場合、電磁石が固定されている交流磁場発生装置では、該被試験体のサイズが大きいと、被試験体の一部が、電磁石によって磁場が発生する領域に収まりきれない場合がある。このとき、被試験体の該領域からはみ出した部分では、生体内泳動装置を移動させることはできないという問題が生じる。
【００４８】
また、サイズの大きい被試験体に合わせて交流磁場発生装置を製造すると、該交流磁場発生装置が大型化してしまう。
【００４９】
しかしながら、上記構成によれば、電磁石を、前記鉄心を束ねる方向、かつ、前記側面部が立ち上がる方向に移動させることが可能となるため、被試験体のサイズが大きい場合に、被試験体の一部が電磁石によって磁場が発生する領域に収まりきれないという問題を解消することができる。したがって、被試験体の大きさに関係なく、また、装置自体を大型化することなく、被試験体内における所望の位置に生体内泳動装置を移動させることが容易となる。
【００５０】
また、上記構成によれば、前記側面部が立ち上がる方向に移動可能でもあるため、被試験体内の生体内泳動装置を、３次元的に移動させることができる。
【００５１】
また、本発明の医療システムは、上記生体内泳動装置と、上記交流磁場発生装置と、該生体内泳動装置および該交流磁場発生装置を制御する制御装置とから構成されてもよい。
【００５２】
また、本発明の医療システムは、ヒレ部に磁石が内蔵された上記生体内泳動装置と、上記交流磁場発生装置と、該生体内泳動装置および該交流磁場発生装置を制御する制御装置とからなる医療システムであって、前記交流磁場発生装置のコイルに交流電流を発生させ、前記生体内泳動装置の前進、停滞、後進運動を切換える周波数が、前記ヒレ部の形状および材質と、前記関節部の形状および材質と、前記本体部の形状および材質との組み合わせによって定められることが好ましい。
【００５３】
上記構成によれば、前記ヒレ部の形状および材質と、前記関節部の形状および材質と、前記本体部の形状および材質との組み合わせにより前進、停滞、後進運動を切換える周波数が定められるため、各生体内泳動装置は個々に前進、停滞、後進運動が切換えられる該周波数を有する。
【００５４】
そして、交流磁場発生装置のコイルに交流電流を発生させる電圧の周波数を、各生体内泳動装置が個々に有する前記周波数よりも高い周波数にすると、生体内泳動装置は前進し、各生体内泳動装置が個々に有する前記周波数と同一の周波数にすると、生体内泳動装置は停滞し、各生体内泳動装置が個々に有する前記周波数よりも低い周波数にすると、生体内泳動装置は後進する。
【００５５】
このことより、交流磁場発生装置のコイルに交流電流を発生させる電圧の周波数を、個々の生体内泳動装置に定められた上記周波数よりも、高い周波数、低い周波数、同一の周波数に切換えることによって、生体内泳動装置の進行運動を制御することができるため、生体内泳動装置の進行運動の制御が容易となる。
【発明の効果】
【００５６】
本発明の生体内泳動装置用ヒレは、以上のように、前記ヒレ部が、前記関節部よりもヤング率の大きい、または、曲げ剛性の高い物質から成ることを特徴としている。
【００５７】
それゆえ、小型化しても推進効率の低下しない生体内泳動装置用ヒレを提供できるという効果を奏する。
【発明を実施するための最良の形態】
【００５８】
（実施の形態１）
本発明の一実施形態について図１ないし図７に基づいて説明すれば、以下の通りである。
【００５９】
本実施の形態では、生体内泳動装置用ヒレを備えたマイクロマシンの一例として、カプセル型内視鏡を用いた生体内検査または治療に関する医療システムについて説明する。
【００６０】
図２は、本実施の形態における医療システム１の構成を示す構成図である。
【００６１】
医療システム１は、図２に示すように、医療システム１を制御する制御装置２と、磁場を発生する交流磁場発生装置３と、交流磁場発生装置３から発生した磁場を受けて人の体内を移動するカプセル型内視鏡４（生体内泳動装置）とから構成されている。
【００６２】
また、図３は、本実施の形態における制御装置２と交流磁場発生装置３とカプセル型内視鏡４との関係を示す概要図である。
【００６３】
医療システム１は、被試験者の消化器官をカプセル型内視鏡４でスクリーニングすることによって、消化器官の検査を行うためのものである。具体的には、まず、被試験者が、腸管洗浄等を行った後に、カメラを備えるカプセル型内視鏡４を水等と一緒に体内に飲み込む。そして、被試験者の体内に入ったカプセル型内視鏡４が、交流磁場発生装置３で発生した磁場を受けて胃や腸等の消化器官内を移動し、該移動の際にカメラで消化器官内を撮影することによって、種々の消化器官のスクリーニング検査を行う。
【００６４】
制御装置２は、パーソナルコンピュータであり、交流磁場発生装置３を制御するとともに、カプセル型内視鏡４と無線通信を行う。具体的には、制御装置２は、図３で示すように、プログラムを用いて電圧波形を作成し、作成した電圧波形をＤ／Ａ変換し、アナログ信号に変換された電圧波形を電力増幅器５に出力する。また、制御装置２は、カプセル型内視鏡４が撮影した体内の画像データを、カプセル型内視鏡４から無線通信によって取得する。
【００６５】
（交流磁場発生装置の構成）
図４（ａ）は、交流磁場発生装置３における鉄心１０ａの、ガイドレール９が延びる方向から見た断面図であり、（ｂ）はガイドレール９が延びる方向から見た鉄心１０ｂの断面図であり、（ｃ）は電磁石６の斜視図であり、（ｄ）は交流磁場発生装置３の全体構成を示す図であり、（ｅ）はガイドレール９が設けられている面において、該ガイドレール９が伸びる方向に対して垂直な方向から見た鉄心１０の断面図である。
【００６６】
交流磁場発生装置３は、図４（ｄ）に示すように、電磁石６と検査台７とリフト８とガイドレール９とを備え、電力増幅器５を介して制御装置２から電磁石６に交流電流が流れると、電磁石６が、該交流電流に応じた交流磁場を発生し、該発生した交流磁場を検査台７に横たわる被試験者に与える移動式磁場発生装置である。
【００６７】
電磁石６は、図４（ｅ）に示すように、導線からなるコイル１１が巻きつけられた、高さが互いに異なる２種類の鉄心１０を複数本束ねたものであり、コイル１１に電流が流れることによって１つの電磁石として動作する。鉄心１０は、珪素鋼板から成り、ギャップ（磁極間）を備えた矩形枠状、すなわち、コの字枠状をしている。図４（ａ），（ｂ）で示すように、鉄心１０のうち、高さＨの低い鉄心を鉄心１０ａとし、高さＨの高い鉄心を鉄心１０ｂとする。ここで、高さＨとは、ガイドレール９が設けられている面に対して法線方向の鉄心の長さをいう。また、図４（ｃ）に示すように、電磁石６の長さＬとは、鉄心１０が束ねられる方向における電磁石６の全体の長さをいい、電磁石６の幅Ｗとは、発生した磁界の方向における電磁石６の長さをいい、磁極間距離ｌとは、コの字枠状にギャップを備えるように形成された磁極間の距離、すなわちコの字枠状の枠がない部分の距離をいう。
【００６８】
より詳細には、本実施形態に係る交流磁場発生装置３には、各鉄心１０の各辺のうち、ギャップが形成されている辺に対向する辺、すなわち、コの字形状の枠において、枠がない部分に対向する辺に、導線を巻きつけてコイル１１が形成されている。さらに、各鉄心１０は、鉄心１０ａと１０ｂとを交互に束ねることにより、隣り合う２つの鉄心１０の高さが互いに異なるように配置されている。これにより、互いに高さが同じ鉄心１０を並べる構成と比較して、隣り合うコイル１１の距離を短く設定でき、交流磁場発生装置３の発生する磁束密度を向上できる。
【００６９】
また、鉄心１０の数を調整することによって、磁束密度を調整できるので、磁場発生領域の長さ、すなわち電磁石６の長さＬを比較的自由に設定できる。
【００７０】
検査台７は、図４（ｄ）に示すように、被試験者を支持する台であり、電磁石６のコの字枠で囲まれるように設置される。すなわち、電磁石６で発生した磁界の方向における検査台７の長さは、同方向における電磁石６の長さよりも長い。
【００７１】
リフト８は、ガイドレール９上を移動するとともに、電磁石６を支持するものである。リフト８がガイドレール９上を移動することにより、電磁石６のガイドレール方向への移動が可能になる。また、リフト８は、電磁石６を支持するテーブル部８ａと、テーブル部８ａをガイドレール９方向に移動可能に支持する支持部８ｂと、テーブル部８ａと支持部８ｂとを連結する連結部８ｃとから構成されている。
【００７２】
テーブル部８ａは、図４（ｄ）に示すように、平面の板状のものであり、電磁石６をして支持している。
【００７３】
また、連結部８ｃは、２本の柱から構成され、支持部８ｂに対して鉛直方向にテーブル部８ａが移動可能なように、テーブル部８ａと支持部８ｂとを連結している。
【００７４】
具体的には、支持部８ｂの上面に電磁石６の幅Ｗ方向に溝（図示せず）が形成され、該溝に、連結部８ｃである２本の柱の、支持部８ｂ側における端部が遊嵌され、所望の位置でストッパー（図示せず）によって固定される。このストッパーの位置を移動させることにより、鉛直方向にテーブル部８ａが移動可能になる。例えば、テーブル部８ａを下方向に移動させたい場合は、２本の柱の上記電磁石６の幅Ｗ方向における距離が大きくなるようにストッパーでとめ、逆に上方向に移動させたい場合は、２本の柱の上記電磁石６の幅Ｗ方向における距離が小さくなるようにストッパーでとめる。
【００７５】
また、上記構成に限らず、ジャッキや油圧シリンダや空圧シリンダによって電磁石６を鉛直方向へ移動させてもよい。
【００７６】
このように、電磁石６を移動させることにより、カプセル型内視鏡４を鉛直方向に移動させることが可能となるため、カプセル型内視鏡４の移動パターンが増え、より精密に検査を行うことができるようになる。
【００７７】
支持部８ｂは、連結部８ｃを介して、テーブル部８ａを支えるものである。また、支持部８ｂの下面、すなわち、連結部８ｃと連結される側とは反対側の面には、ガイドレール９に形成された溝と嵌合するように突起部（図示せず）が設けられている。
【００７８】
ガイドレール９は、検査台７を挟むように、検査台７と平行に２本設けられ、リフト８をガイドレール９上で移動可能なように支持する直線状のレールである。具体的には、図４（ｄ）に示すように、断面が矩形である溝を有し、該溝に、前記リフト８の支持部８ｂに設けられた突起部が遊嵌されている。
【００７９】
上記構成によれば、リフト８およびガイドレール９によって、電磁石６の位置を移動させることができるため、被試験者の体格が大きい場合であっても、電磁石６を大型化することなしに、カプセル型内視鏡４を検査したい部位等の所望の位置まで容易に移動させることができる。
【００８０】
その結果、交流磁場発生装置３の小型化を図ることができる。例えば、電磁石６の長さを短く、すなわち、束ねる鉄心１０の数を減らすことによって、カプセル型内視鏡４の小型化を実現できる。
【００８１】
また、交流磁場発生装置３における電磁石６の長さＬ方向のサイズを小型化することにより、電磁石６の幅Ｗ方向のサイズを大きくしても、全体のサイズが大型化するおそれを低減することができる。
【００８２】
（カプセル型内視鏡の構成）
カプセル型内視鏡４について、図１および図５〜図１４を用いて説明する。
【００８３】
図１は、カプセル型内視鏡４の外観を示す図であり、図５は、小型の魚型ロボットにおける推進方法の一例を示した図である。図６は、カプセル型内視鏡４の概略構成を示す図である。
【００８４】
ここにおける上側とは、カプセル型内視鏡に対して液面側をいい、下側とは、カプセル型内視鏡に対して液面側と逆側をいう。
【００８５】
カプセル型内視鏡４は、図１に示すように、内部にカメラと磁石を備えた本体部１２と、ヒレ１３（生体内泳動装置用ヒレ）と、本体部１２とヒレ１３とを連結する台座１６とから構成されている。カプセル型内視鏡４は、交流磁場発生装置３から磁場を受けて本体部１２の磁石が動くことによって、ヒレ１３が振動し、被試験者の体内を移動する。また、カプセル型内視鏡４は、体内を移動しながらカメラで体内を撮影し、撮影した画像を無線通信で制御装置２に送信するものである。
【００８６】
カプセル型内視鏡４は、図５に示す小型の魚型ロボットのように、主にヒレ１３を用いて推進する。
【００８７】
本体部１２は、図１に示すように、例えば、直径約１０ｍｍ、長さ約２５ｍｍの大きさのカプセル形状をしている。
【００８８】
本体部１２は、図６に示すように、被試験者の体内を撮影するため撮像装置２０と、撮像装置２０で撮影した画像を処理する画像処理部２１と、処理した画像データを制御装置２に送信する無線通信部２２と、体内を明るくするための照明装置であるＬＥＤ２３と、バッテリとしてのボタン電池２４と、磁石２５とを内蔵する。
【００８９】
図７（ａ）は、カプセル型内視鏡４のヒレ部１５を示す図であり、（ｂ）はヒレ部１５の変形例を示す図であり、（ｃ）はヒレ部１５の他の変形例を示す図である。
【００９０】
ヒレ１３は、関節部１４とヒレ部１５とから構成され、関節部１４が台座１６によって本体部１２に連結されることにより、ヒレ１３と本体部１２とが一体化されている。ここで、ヒレ１３は、バネ部材から成る関節部１４の伸長方向における関節部中心軸と、ヒレ部１５において関節部１４と接着される側に延びるヒレ中心軸と、カプセル型内視鏡４の中心軸とが一致するように、本体部１２に接着されている。
【００９１】
ヒレ部１５は、図１に示すように、関節部１４と接続される側（付け根側）の厚みが大きく、付け根側と対向する側（先端側）に向かうにつれて厚みが小さくなっている。ここで、厚みとは、カプセル型内視鏡４の中心軸に対してヒレ１３が振動する方向（ヒレ振動方向）（第１の方向）における、ヒレ部１５の長さをいう。また、ここで、カプセル型内視鏡４の中心軸（中心軸）とは、カプセル型内視鏡４の重心を通り、カプセル型内視鏡４の推進する方向に延びる軸をいう。
【００９２】
上記構成によれば、関節部１４との接続部分であり振動時に大きな負荷がかかるヒレ部１５の付け根部の厚みが大きいため、該接続部分の強度を良好に保つことができる。
【００９３】
また、ヒレ部１５の先端部の厚みを小さくすることによって、ヒレ１３の振動時におけるヒレ部１５の振動の変位が大きくなり、推進効率が向上する。
【００９４】
ヒレ部１５は、関節部１４よりもヤング率の大きい、または、曲げ剛性の高い物質から構成される。また、ヒレ部１５の動作する方向から見たヒレ部１５の平面は、図７（ａ）に示すように、台形形状である。
【００９５】
一方、関節部１４は、ヒレ部１５よりもヤング率の小さい、または、曲げ剛性の低い物質から構成され、台座１６とヒレ部１５の付け根側とを連結するものである。例えば、関節部１４は、金属製やプラスチック製のコイルバネや、板バネから成る。また、関節部１４は、前述したバネに限らず、シリコンから成るものであってもよい。
【００９６】
台座１６は、瞬間接着剤等の接着剤により、本体部１２および関節部１４と連結されるものである。また、台座１６は、エポキシパテ、発泡スチロールからなる。
【００９７】
また、台座１６と本体部１２との連結は、前述したような接着剤によって連結される構成に限らず、台座１６が本体部１２にネジで連結される構成でもよいし、また、台座１６が本体部１２に嵌合されることにより連結される構成でもよい。
【００９８】
上記構成によれば、ヒレ部１５が関節部１４よりもヤング率の大きいまたは曲げ剛性の高い物質からなっているため、ヒレ部１５が関節部１４のヤング率よりも小さいまたは曲げ剛性が低い物質からなる場合に比べて、ヒレ部１５の水圧によるたわみが小さく、振動時に、効率よく液体を押しだすことができる。また、ヒレ１３の振動時における、振り切れたときの変位（最大変位）が大きくなるため、ヒレ部１５が１振動当たりに押し出す液体の量が増大する。これらのことより、推進効率を向上させるとともに、ヒレ１３の小型化を実現することができる。
【００９９】
また、より良い推進効率を実現するためには、ヒレ部１５の材質と関節部１４の材質との組み合わせが、ヒレ部１５の材質がプラスチックであり、かつ関節部１４の材質がゴムであることが好ましい。また、ヒレ部１５がシリコンやポリ塩化ビニルから成り、かつ関節部１４がポリエチレンから成る組み合わせも好ましい。また、ヒレ部１５の形状と関節部１４の形状との組み合わせは、ヒレ部１５が板状物質であるのに対して、関節部１４がコイルバネ形状であることが好ましい。また、ヒレ部１５および関節部１４が共に板状物質で構成され、かつ、関節部１４が振動する方向と直交する方向に切断することにより形成される、関節部１４の断面の幅が、ヒレ部１５の該断面の幅よりも小さいことが好ましい。また、該断面における関節部１４の上下方向の長さが、ヒレ部１５の上下方向の長さよりも短いことが好ましい。
【０１００】
また、本実施の形態では、ヒレ１３と本体部１２とを台座１６で連結する構成であるが、本発明はこれに限らず、プラスチックのケースが本体部１２の一部を覆うようにして、ヒレ１３と本体部１２とを連結してもよいし、ヒレ１３を本体部１２にネジで固定することにより連結してもよい。また、本体部１２にヒレ１３を噛み合わせてヒレ１３を本体部１２に直接固定する方法を用いてもよい。
【０１０１】
（カプセル型内視鏡の動作）
次に、カプセル型内視鏡４が被試験者の体内をどのように動作するかについて説明する。
【０１０２】
まず、図３に示すように、制御装置２は、操作する者の指示に従って、電圧波形を作成し、作成した波形を電力増幅器５に出力する。電力増幅器５は、増幅した電圧波形を電磁石６に出力し、電磁石６のコイル１１に電流が流れる。コイル１１に交流電流が流れると、電磁石６は交流磁場を発生し、被試験者が溜飲したカプセル型内視鏡４の内部の磁石に発生した交流磁場を与える。カプセル型内視鏡４の内部の磁石は、交流磁場を受けて振動し、その振動が伝わることによってヒレ１３が振動し、カプセル型内視鏡４は推進力を得る。このように、カプセル型内視鏡４は、ヒレ１３の振動によって、被試験者の体内の体液中を泳動する。
【０１０３】
ところで、通常、ヒレ部１５の振動方向から見たヒレ部１５の面積を大きくすればするほど、ヒレ部１５の１振り当たりに押し出す水の量が多くなり、カプセル型内視鏡４の推進力は増大する。逆に、ヒレ部１５の該面積を小さくすると、ヒレ部１５の１振りあたりに押し出す水の量は少なくなり、カプセル型内視鏡４の推進力は減少する。
【０１０４】
また、ヒレ振動方向から見たヒレ部１５の面積を大きくしても、関節部１４よりも曲げ剛性の低い物質若しくはヤング率の小さい物質から成るヒレ部１５を用いれば、ヒレ１３が振動する際に、ヒレ部１５は水圧によってたわんでしまう。そして、ヒレ部１５がたわむことにより、該たわんだ部分から、ヒレ部１５が押し出そうとする水が逃げてしまうため、ヒレ部１５の１振りあたりの押し出す水の量が、ヒレ部１５がたわまない場合に比べて少なくなる。
【０１０５】
しかしながら、上記構成によれば、ヒレ部１５が関節部１４よりも曲げ剛性の高い物質、またはヤング率の大きい物質から成るため、ヒレ部１５の水圧によるたわみが小さく、ヒレ部１５の１振りあたりの押し出す水の量は、ヒレ部１５がたわまない場合に比べて、ほとんど減少しない。一方、関節部１４は、バネ部材等のヒレ部１５よりも曲げ剛性の低い物質、またはヤング率の小さい物質から成るため、中心軸方向に戻ろうとする力が、バネ部材等を用いない場合に比べて大きい。これらのことより、ヒレ１３を小型化しても、ヒレ１３の推進力を良好に保つことができる。
【０１０６】
すなわち、ヒレ部１５には関節部１４よりも曲げ剛性の高い物質もしくはヤング率の高い物質を用いることにより、ヒレ１３の推進効率を低下させずに、ヒレ１３を小型化できる。また、その結果、カプセル型内視鏡４も小型化することができ、被試験者がカプセル型内視鏡４を溜飲する際の不快感を低減することができる。
【０１０７】
（実施の形態２）
実施の形態１では、本体部１２とヒレ１３と台座１６とからなる構成のカプセル型内視鏡４について説明したが、本発明はこれに限られない。本実施の形態では、被試験者の体内中における体液の液面にカプセル型内視鏡を浮べるために、浮きを備えた構成のカプセル型内視鏡について説明する。なお、カプセル型内視鏡以外は、実施の形態１と同一の構成であるため、実施の形態１と同一の構成については、同一の符合を付し、説明を省略する。
【０１０８】
また、ここで、カプセル型内視鏡の下側とは、カプセル型内視鏡を液面に浮かばせたときの該液面と接触する側、または液中に沈ませたときの液面側と対向する側をいう。また、カプセル型内視鏡の上側とは、カプセル型内視鏡を液面に浮かばせたときの該液面と接触しない側をいい、また、液中に沈ませたときの液面側をいう。
【０１０９】
図８は、カプセル型内視鏡３７の本体部３０を示す外観図およびカプセル型内視鏡３７の推進方向における断面図である。
【０１１０】
本実施の形態のカプセル型内視鏡３７は、図８に示すように、実施の形態１における本体部１２と同一の構成である本体部３０と、実施の形態１におけるヒレ１３と同一の構成であって、ヒレ部３２と関節部３４とからなるヒレ３８と、浮き３１とを備える構成である。
【０１１１】
ヒレ部３２は、実施の形態１のヒレ部１５と同一であり、関節部３４も実施の形態１の関節部１４と同一であるため、ここでは説明を省略する。
【０１１２】
浮き３１は、カプセル型内視鏡３７を体液中に沈ませないように、体液面に浮かばせるためのものであり、水より比重の軽い発泡スチロールからなり、本体部３０の表面上に、瞬間接着剤等の接着剤で固定される。また、浮き３１には、木材や、コルク材、ポリエチレン、ポリプロピレン、エチレンプロピレンゴム、天然ゴム、パーティクルボード等を用いてもよい。
【０１１３】
また、浮き３１は、カプセル型内視鏡３７の比重をｖC、カプセル型内視鏡３７の体積をＶC、浮き３１の比重をｖf、浮き３１の体積をＶfとすると、（ｖCＶC＋ｖfＶf）／（ＶC＋Ｖf）≦１の条件を満たす必要がある。すなわち、浮き３１の厚みおよび推進方向における長さは、上記式の条件を満たすように設定される。
【０１１４】
浮き３１の形状は、図８に示すように、厚みは薄いが、本体部３０の表面の大部分を覆うように備え付ける構成であってもよいし、図９または図１０に示すように、厚みは厚いが、カプセル型内視鏡３７の上下面には浮きを備えず、側面だけに浮きを備える構成であってもよい。
【０１１５】
このように、本体部３０に、浮き３１を備えることによって、カプセル型内視鏡３７の比重を調整することができる。このことより、カプセル型内視鏡３７が、体液の液面を泳動するのか、または体液中における液面からどれくらいの深さ付近を泳動するのかを制御することが容易になる。また、図９に示すように、浮き３１をカプセル型内視鏡３７の両側面に備えることによりカプセル型内視鏡３７を水平状態に保つことが可能となる。
【０１１６】
図９は、熱収縮チューブ３３を備えたカプセル型内視鏡３７の外観を示す斜視図である。
【０１１７】
上述では、浮き３１を本体部３０の表面上に接着剤で固定する構成について説明したが、本発明はこれに限らず、図９に示すように、熱収縮チューブ３３で浮き３１を固定する構成であってもよい。熱収縮チューブ３３は、エチレンプロピレンゴム、架橋ポリエチレン等を用いる。
【０１１８】
熱収縮チューブ３３を用いた具体的な浮き３１の固定方法は、浮き３１にまず透明のフィルム（図示せず）を取り付け、それを本体部３０に被せ、そして、さらにその上から熱収縮チューブ３３を被せ、熱収縮チューブ３３に外部から熱を与えることにより、フィルムを溶かして浮き３１と本体部３０とが接着するようにする。このとき、熱収縮チューブ３３に、短時間の間に急速に熱を与え、浮き３１と本体部３０とが接触したときに急冷することが好ましい。また、熱収縮チューブ３３と浮き３１との間に薄い断熱性のシートを備えることが好ましい。これによれば、熱収縮チューブ３３に与えられた熱で、浮き３１が溶けるのを防ぐことができる。
【０１１９】
図１０は、カプセル型内視鏡３７に外殻３５を取り付ける様子を示す斜視図である。
【０１２０】
図１１は、外殻３５内に水が流れ込む様子を示した説明図である。
【０１２１】
また、図１２は、外殻３５に開口部が設けられた様子を示す図である。
【０１２２】
また、浮き３１を本体部３０に固定する方法として、図１０に示すように、カプセル型内視鏡３７の全体、具体的には、浮き３１、本体部３０、台座１６、ヒレ３８の全てを、中抜きの円筒状のプラスチック樹脂から成る外殻３５で覆う方法がある。
【０１２３】
具体的には、台座１６によってヒレ３８が連結された本体部３０と外殻３５とは、図１０に示すように、該本体部３０に、２つに分割した外殻３５を嵌め合わせ、接着剤で接合することによって一体となる。
【０１２４】
また、ヒレ３８を備えた本体部３０の外径よりも、少し小さい内径を有する円筒状の外殻３５に、該本体部３０を締め付け嵌合させることによって一体化させてもよい。該本体部３０に浮き３１を備える場合は、浮きの厚み分だけ内径が大きい外殻３５を用いることが好ましい。
【０１２５】
また、ヒレ３８を備えた本体部３０に、該本体部３０の外径と同じ、若しくは、少し大きい内径を有する円筒状の外殻３５を、接着剤で接合してもよい。
【０１２６】
これらの外殻３５を備える構成によれば、浮き３１が本体部３０に固定されるとともに、ヒレ３８が振動可能に外殻３５によって覆われているため、ヒレ３８の振動によって体内壁等が傷つくのを防ぐことができる。
【０１２７】
また、外殻３５は、図１０、図１１および図１２（ｄ）に示すように、ヒレ３８を備えた本体部３０と接合した状態で、関節部３４と対向する外殻３５の一部の領域に、開口部４０を設けることが好ましい。図１０に示すカプセル型内視鏡３７における外殻３５には、図１２（ａ）に示すように、関節部３４と対向する領域のうち、中心軸に対してヒレ３８が振動する方向に位置する領域に、それぞれ１つずつ開口部４０が設けられている。
【０１２８】
上記構成によれば、外殻３５に開口部４０が設けられているため、図１１に示すように、該開口部４０を介して、外殻３５内に水が入り込む。したがって、ヒレ３８の振動により体内壁などが傷つくのを防ぐとともに、外殻３５でヒレ３８を覆うことによりヒレ３８に水が流れ込まずに推進効率が低下するという問題を解消することができる。
【０１２９】
また、本発明は、図１２（ａ）に示すように、外殻３５に、上記開口部４０が２つ設けられる構成に限られず、図１２（ｂ）に示すように開口部４１が１つ設けられる構成であってもよいし、図１２（ｃ）に示すように開口部４２〜４４の３つ設けられる構成であってもよい。なお、このときの開口部４１は、図１０に示すように、関節部３４と対向する領域のうち、中心軸に対してヒレ３８が振動する方向に位置する領域に設けられる必要はなく、図１２（ｂ）に示すように、関節部３４と対向する領域のうちのヒレ３８に対して下側方向に位置する領域に設けられてもよい。また、図１２（ｃ）に示すように、関節部３４と対向する領域のうち、ヒレ３８に対して下側方向に位置する領域に１つの開口部４２を設け、開口部４２から等角度間隔で、開口部４３と開口部４４を設ける構成であってもよい。具体的には、ヒレ３８に対して斜め上方向に位置する領域にもう１つの開口部４３を、さらにその開口部から等角度間隔で、前記とは異なる斜め上方向に位置する領域にもう１つの開口部４４を設ける構成であってもよい。
【０１３０】
上記構成によれば、外殻３５に３つの開口部を設けることにより、外殻３５内のヒレ３８周辺に流れ込む液体の量が増えるため、ヒレ３８による推進力が増大する。
【０１３１】
また、上記外殻３５は、浮き３１、本体部３０、台座１６、ヒレ３８の全てを覆う構成であったが、本発明は、これに限らず、ヒレ３８のみを外殻３５で覆う構成であってもよい。
【０１３２】
また、上述では、プラスチック樹脂製の外殻３５について説明したが、本発明はこれに限られない。外殻３５の材質は、アルミニウムやステンレス鋼などの金属材料、硬質ゴム、木材等であってもよい。また、外殻３５の形状も、上述した円筒形状に限られず、中抜きの球形形状等であってもよい。
【０１３３】
また、開口部の設けられる領域は、外殻３５における関節部３４と対向する領域に限らず、ヒレ部３２と対向する領域の一部に設けられていてもよい。
【０１３４】
また、外殻３５の推進方向における長さは、２６ｍｍ程度以下であることが好ましく、直径は１１ｍｍ程度以下であることが好ましい。上記構成によれば、被試験者がカプセル型内視鏡３７を溜飲する際に、不快感を感じなく容易に溜飲することが可能となる。
【０１３５】
ところで、図１５は、本体部とヒレ部とから構成され、ヒレ部によって水中を泳動する小型の魚型ロボットの一例を示す写真である。実施の形態１におけるカプセル型内視鏡４は、図１５の写真の紙面に向かって一番上側における小型の魚型ロボットのように、本体部とヒレとから構成されている。また、実施の形態２におけるカプセル型内視鏡３７は、図１５の写真、紙面に向かって真ん中における小型の魚型ロボットのように、本体部とヒレとから構成され、さらには本体部に浮きを備える構成である。
【０１３６】
実施の形態１における医療システム１では、制御装置２が、カプセル型内視鏡４から、無線通信によって、体内を撮影した画像データを取得する構成であるが、本発明はこれに限らず、撮影した画像データをカプセル型内視鏡４内に保存し、カプセル型内視鏡４が体内から体外に出た時点で該カプセル型内視鏡４を回収し、保存された画像データを取得する構成であってもよい。
【０１３７】
また、実施の形態１における交流磁場発生装置３では、鉄心１０を束ねた方向において電磁石６を移動させるのに、または、該鉄心１０を束ねた方向と発生した磁界の方向とからなる平面に対して法線方向において電磁石６を移動させるのに、リフト８とガイドレール９とを用いている。しかしながら、本発明はこれに限らず、チェーン、ジャッキ、空気圧シリンダ、油圧シリンダ、滑車およびロープ等を用いて、電磁石６を移動させる構成であってもよい。
【０１３８】
図１３は、実施の形態１または２に係るカプセル型内視鏡４・３７の変形例を示す斜視図である。
【０１３９】
実施の形態１および２では、ヒレ１３・３８は、本体部３０に台座１６で連結されていたが、本発明は、これに限られない。図１３で示すように、台座１６によって本体部１２・３０にヒレ１３・３８を連結する代わりに、ヒレ１３・３８を備えたプラスチックよりもヤング率の小さい天然ゴムまたは合成ゴム等からなるゴム製の指サック３６（サック）を装着することにより連結する構成であってもよい。また、指サック３６は、ラテックス製であることが好ましい。
【０１４０】
上記構成によれば、指サック３６を本体部１２・３０に備え付けるだけで、ヒレ１３・３８を本体部１２・３０に接合することができる。よって、ヒレ１３・３８を備えた台座１６を、接着剤を用いて本体部１２・３０に接合するよりも、より迅速に、かつ容易に、ヒレ１３・３８を本体部１２に接合することができる。よって、特殊なケースから取り出すことによって電源がＯＮになるため、迅速に本体部にヒレ部を備え付ける必要があるカプセル型内視鏡に対して、非常に有効となる。
【０１４１】
図１４は、実施の形態１または２に係るカプセル型内視鏡の他の変形例を示す斜視図である。
【０１４２】
実施の形態２では、浮き３１を備え付けたカプセル型内視鏡３７を全て覆うようにプラスチック製の外殻３５を備える構成であったが、本発明はこれに限らず、図１４で示すように、体液で溶解する薄膜３９で、ヒレ３８を折り畳んだカプセル型内視鏡３７を包み込む構成であってもよい。また、薄膜３９は、オブラート、ゼラチン、ヒドロキシプロピルセルロースであることが好ましい。また、浮き３１を備えない実施の形態１におけるカプセル型内視鏡４を、ヒレ１３を折り畳んで、薄膜３９で覆う構成であってもよい。
【０１４３】
上記構成によれば、ヒレ３８を折り畳んだ状態で、薄膜３９でカプセル型内視鏡３７を包んでいるため、被試験者がカプセル型内視鏡３７を溜飲する際には、ヒレ３８が露出せず、被試験者のカプセル型内視鏡３７の溜飲が容易となる。また、溜飲後、カプセル型内視鏡３７を、検査したい所望の位置まで移動させる間に、ヒレ３８が消化器の体内壁に損傷を与えることを防ぐことができる。また、所望の位置に到達すると、オブラート等の薄膜３９が溶けて、折り畳まれていたヒレ３８が露出し、振動するため、カプセル型内視鏡３７はヒレ３８の振動によって推進する。また、オブラート等の薄膜３９の溶解時間が、カプセル型内視鏡３７の溜飲後、検査所望位置までに到達する時間に相当するように、薄膜３９を選択することがより好ましい。
【０１４４】
実施の形態１および２におけるヒレ部１５・３２の振動方向から見たヒレ部１５・３２の形状は、図７（ａ）に示すように台形形状であるが、本発明はこれに限られず、図７（ｂ）に示すように、図７（ａ）の台形形状における先端部（ヒレ先端部）の角が丸まった形状であってもよい。また、図７（ｃ）に示すように、全体的に丸みを帯びた形状であってもよい。
【０１４５】
上記構成によれば、ヒレ部１５・３２の先端部の角が、尖った形状でなく、丸みを帯びた形状であるため、ヒレ部１５・３２が、振動する際に体内壁を傷つけるおそれを低減することができる。
【０１４６】
実施の形態１および２におけるカプセル型内視鏡４・３７は、本体部１２・３０に磁石を有する構成であるが、本発明はこれに限らず、ヒレ１３・３８におけるヒレ部１５・３２の内部に磁石を有する構成であってもよい。
【０１４７】
この場合の、実施の形態１におけるカプセル型内視鏡４の動作について、図３を用いて簡単に説明すると以下のとおりである。
【０１４８】
図３に示すように、制御装置２は、操作する者の指示に従って、電圧波形を作成し、作成した波形を電力増幅器５に出力する。電力増幅器５は、増幅した電圧波形を電磁石６に出力し、電磁石６のコイル１１に電流が流れる。コイル１１に交流電流が流れると、電磁石６は交流磁場を発生し、発生した磁場は、被試験者が溜飲したカプセル型内視鏡４のヒレ部１５に内蔵された磁石に与えられる。ヒレ部１５の内部の磁石が、交流磁場を受けることによって、ヒレ１３が振動し、カプセル型内視鏡４は推進力を得る。このように、カプセル型内視鏡４は、ヒレ１３の振動によって、被試験者の体内の体液中を泳動する。
【０１４９】
上記構成によれば、外部から与える交流磁場を制御することによって、ヒレ１３・３８の振動を容易に制御することができる。
【０１５０】
また、撮像装置２０を備える本体部１２・３０が内部に磁石を有するとき、外部からの交流磁場発生装置により、本体部１２・３０の振動が制御されるが、本体部１２・３０が高速振動となるように制御されると、撮像装置２０で体内を撮像する際にぶれてしまい、好ましくない。しかしながら、上記構成によれば、主にヒレ部１５・３８の振動を制御することができるため、ヒレ１３・３８を高速振動となるように制御しても、本体部１２・３０の振動はゆるやかであり、カメラがぶれるのを低減することができる。
【０１５１】
すなわち、ヒレ１３・３８の振動を制御するだけで、カプセル型内視鏡４・３７を推進させることができるため、実施の形態１および２等の本体部１２・３０が磁石を有する場合に比べて、進行時の本体部１２・３０の振動を小さくすることができる。このように、撮像装置２０を有する本体部１２・３０の振動を小さくすると、撮像装置２０で体内を撮影する際に弊害となるぶれを低減することができるようになる。
【０１５２】
また、本発明におけるカプセル型内視鏡４・３７が、ヒレ１３・３８におけるヒレ部１５・３２の内部に磁石を有する構成の場合、交流磁場発生装置３のコイル１１に交流電流を発生させる電圧波形の周波数であって、カプセル型内視鏡４・３７の前進、停滞、後進運動を切換える周波数（限界周波数）が、ヒレ部１５の形状および材質と、関節部１４の形状および材質と、本体部１２の形状および材質との組み合わせによって定められることが好ましい。
【０１５３】
具体的には、上記限界周波数とは、関節部１４・３４の形状および材質の条件下において印加する電圧波形の周波数に対する、ヒレ部１５・３２の形状・材質の条件における液体中の振動振幅と、本体部１２・３０と浮き３１とをあわせた形状・重量の条件における同じ液体中の振動振幅とがほぼ等しくなるときの周波数である。
【０１５４】
例えば、ステンレス鋼製で円筒コイルバネ形状の関節部３４と、台形形状でシリコンから成るヒレ部３２と、全長が約２６ｍｍ、直径が約１１ｍｍであり、浮き３１を含む全重量が約４ｇの本体部３０とを組み合わせたときの、水中における上記限界周波数は、浮き３１が図８のように備えられた場合では約１０〜１１Ｈｚ、図９のように備えられた場合では約１３〜１４Ｈｚである。
【０１５５】
上記構成によれば、前記ヒレ部の形状および材質と、前記関節部の形状および材質と、前記本体部の形状および材質との組み合わせにより前進、停滞、後進運動を切換える限界周波数が定められる。すなわち、各カプセル型内視鏡は個々に前進、停滞、後進運動を切換える限界周波数を有する。
【０１５６】
このことより、交流磁場発生装置３に印加する電圧の電圧波形を、上記限界周波数よりも高い周波数、低い周波数、同一の周波数に切換えることによって、カプセル型内視鏡４・３７の進行運動を切換えることができるため、容易にカプセル型内視鏡４・３７の進行運動を制御することができる。
【０１５７】
また、実施の形態１および２におけるヒレ部１５・３２は、ヒレ１３・３８が、関節部１４・３４の関節部中心軸と、ヒレ部１５・３２のヒレ中心軸と、カプセル型内視鏡４・３７の中心軸とが一致するように、ヒレ１３・３８が本体部１２・３０に連結されているが、本発明はこれに限られない。例えば、一致する関節部中心軸とヒレ中心軸とを、０°から９０°以内の範囲内の角度分だけ、液体の底方向（第２の方向）に、カプセル型内視鏡４・３７の中心軸に対してずらして備えてもよい。
【０１５８】
上記構成によれば、カプセル型内視鏡４・３７の中心軸に対してずらした分だけ、該中心軸よりずらした方向側に重力がかかるため、カプセル型内視鏡４・３７の中心軸に対してずらした方向が液面側と逆側の底方向になるため、ヒレ１３・３８を常に液中に存在させることができるようになる。その結果、ヒレ１３．３８が液外に露出したことにより、カプセル型内視鏡の推進力が低下するというおそれが低減される。
【０１５９】
また、実施の形態１および２における関節部１４・３４は、金属製またはプラスチック製のコイルバネから成るものであるが、本発明における関節部はこれに限らず、単にヒンジであってもよい。
【０１６０】
上記構成によれば、コイルバネを用いる場合に比べて、カプセル型内視鏡４・３７の進行方向に対する関節部の長さを小さくすることが可能となるため、カプセル型内視鏡４・３７全体の小型化を図ることができる。
【産業上の利用可能性】
【０１６１】
本発明に係る生体内泳動装置用ヒレは、医療分野における医療検査や治療、特に体内検査や体液採取で用いられる飲用カプセル型の医療装置に適用することができる。
【図面の簡単な説明】
【０１６２】
【図１】本発明における生体内泳動装置の実施の一形態を示す外観図である。
【図２】上記生体内泳動装置を用いた医療システムの概略を示す構成図である。
【図３】上記医療システムにおける交流磁場発生装置の概要を示す構成図である。
【図４】（ａ）は上記交流磁場発生装置における鉄心の、ガイドレールが延びる方向から見た断面図であり、（ｂ）はガイドレールが延びる方向から見た他の鉄心の断面図であり、（ｃ）は電磁石の構成を示す斜視図であり、（ｄ）は交流磁場発生装置の全体構成を示す図であり、（ｅ）はガイドレールが設けられている面において、該ガードレールが伸びる方向に対して垂直な方向から見た鉄心の断面図である。
【図５】小型の魚型ロボットにおける推進方法の一例を示した図である。
【図６】上記生体内泳動装置の概略を示す構成図である。
【図７】（ａ）は本発明における生体内泳動装置用ヒレのヒレ部を示す図であり、（ｂ）は（ａ）のヒレ部の変形例を示す図であり、（ｃ）は（ａ）のヒレ部の他の変形例を示す図である。
【図８】上記生体内泳動装置の他の実施の形態を示す外観図、および該生体内泳動装置の推進方向における側面図である。
【図９】上記生体内泳動装置のさらに他の実施の形態を示す外観図である。
【図１０】上記生体内泳動装置に、さらに外殻を備える様子を示す斜視図である。
【図１１】上記外殻内に水が流れ込む様子を示す説明図である。
【図１２】（ａ）は上記外殻に設けられた開口部を示す図であり、（ｂ）は（ａ）の開口部の変形例を示す図であり、（ｃ）は（ａ）の開口部のさらなる変形例を示す図であり、（ｄ）は上記外殻を備える上記生体内泳動装置の縦断面である。
【図１３】上記生体内泳動装置のさらに他の実施の形態を示す斜視図である。
【図１４】上記生体内泳動装置のさらに他の実施の形態を示す斜視図である。
【図１５】小型の魚型ロボットの一例を示す写真である。
【図１６】従来の交流磁場発生装置の概略構成を示す斜視図である。
【符号の説明】
【０１６３】
１    医療システム
２    制御装置
３    交流磁場発生装置
４，３７    カプセル型内視鏡（生体内泳動装置）
５    電力増幅器
６    電磁石
７    検査台
８    リフト
９    ガイドレール
１０    鉄心
１１    コイル
１２，３０    本体部
１３，３８    ヒレ（生体内泳動装置用ヒレ）
１４，３４    関節部（関節部）
１５，３２    ヒレ部（ヒレ部）
１６    台座
３１    浮き
３３    熱収縮チューブ
３５    外殻（カバー部）
３６    指サック（サック）
３９    オブラート
【図１】
2008279019.tif 000003
【図２】
2008279019.tif 000004
【図３】
2008279019.tif 000005
【図４】
2008279019.tif 000006
【図５】
2008279019.tif 000007
【図６】
2008279019.tif 000008
【図７】
2008279019.tif 000009
【図８】
2008279019.tif 000010
【図９】
2008279019.tif 000011
【図１０】
2008279019.tif 000012
【図１１】
2008279019.tif 000013
【図１２】
2008279019.tif 000014
【図１３】
2008279019.tif 000015
【図１４】
2008279019.tif 000016
【図１６】
2008279019.tif 000017
【図１５】
2008279019.tif 000018